(57)【要約】【課題】媒体処理装置は、ガイド部の貫通孔から漏れる音を抑制する。【解決手段】搬送される媒体を処理する媒体処理装置は、媒体を搬送するための回転体と、回転体を配置するための貫通孔を有し、回転体により搬送される媒体をガイドするガイド部と、ガイド部の内面側に配置され、回転体と接触しないように回転体と所定の間隔を隔てて配置されている遮音部材と、を有する。【選択図】図３
2020194437.tif 000002
【特許請求の範囲】
【請求項１】
搬送される媒体を処理する媒体処理装置であって、
前記媒体を搬送するための回転体と、
前記回転体を配置するための貫通孔を有し、前記回転体により搬送される前記媒体をガイドするガイド部と、
前記ガイド部の内面側に配置され、前記回転体と接触しないように前記回転体と所定の間隔を隔てて配置されている遮音部材と、
を備える媒体処理装置。
【請求項２】
前記回転体は、前記媒体処理装置の外側から視認できるように配置され、
前記遮音部材の面積は、前記回転体を前記媒体処理装置の外側から見た状態において、前記ガイド部の貫通孔の面積よりも大きい、
請求項１に記載の媒体処理装置。
【請求項３】
前記回転体は、前記媒体処理装置の外側から視認できるように配置され、
前記遮音部材は、前記回転体を前記媒体処理装置の外側から見た状態において、前記ガイド部の貫通孔と重なるように配置されている、
請求項１または２に記載の媒体処理装置。
【請求項４】
前記遮音部材は、前記媒体処理装置の内部から外部に向かう音を遮るように構成されている、
請求項１から３のいずれか１項に記載の媒体処理装置。
【請求項５】
前記遮音部材は、前記回転体を覆うように形成される、
請求項１から４のいずれか一項に記載の媒体処理装置。
【請求項６】
前記遮音部材は、
前記回転体の回転軸が延びる方向に延びる第１部分と、
前記回転軸が延びる方向に対して垂直方向に延びる第２部分と、
を備える請求項５に記載の媒体処理装置。
【請求項７】
前記第２部分は、前記第１部分の前記回転軸方向の両端に形成され、
前記両端の第２部分は、それぞれ、前記回転軸が通る切欠または孔を備える、
請求項６に記載の媒体処理装置。
【請求項８】
前記第１部分と前記第２部分とは一体成形される、
請求項６または７に記載の媒体処理装置。
【請求項９】
前記遮音部材は、別体として形成された前記第１部分と前記第２部分とを接続して形成される、
請求項６または７に記載の媒体処理装置。
【請求項１０】
前記回転体は、媒体を搬送するための羽根車である、
請求項１から９のいずれか一項に記載の媒体処理装置。
【請求項１１】
前記回転体は、前記媒体処理装置内に媒体を搬送するためのローラである、
請求項１から９のいずれか一項に記載の媒体処理装置。
【請求項１２】
前記遮音部材は、前記媒体処理装置に対して着脱可能である、
請求項１から１１のいずれか一項に記載の媒体処理装置。
【請求項１３】
前記ガイド部は、検知部が前記媒体を検知するための検知用開口を備え、
前記遮音部材は、前記検知用開口と音源との間に配置される、
請求項１から１２のいずれか一項に記載の媒体処理装置。
【請求項１４】
前記検知部は、前記遮音部材に固定される、
請求項１３に記載の媒体処理装置。
【請求項１５】
前記ガイド部は、前記媒体処理装置に対して揺動可能であり、
前記遮音部材は、前記ガイド部が前記媒体処理装置に対して揺動されたとき、前記媒体処理装置の外部からアクセス可能となる、
請求項１から１４のいずれか一項に記載の媒体処理装置。
【発明の詳細な説明】
【技術分野】
【０００１】
本開示は、媒体処理装置に関する。
【背景技術】
【０００２】
特許文献１には、紙葉類収納装置が開示されている。紙葉類処理装置は、例えば、紙幣を所定の位置に積層する羽根車等の回転体を備える。
【先行技術文献】
【特許文献】
【０００３】
【特許文献１】特開２０１８−１９４９４３号公報
【発明の概要】
【発明が解決しようとする課題】
【０００４】
羽根車等の回転体は、搬送される紙幣をガイドするガイド部の貫通孔から、一部、装置外部に露出する。装置内で発生した音は、ガイド部の貫通孔から装置外部に漏れることがあり、騒音となることがある。
【０００５】
そこで本開示は、ガイド部の貫通孔から漏れる音を抑制する技術を提供することを目的とする。
【課題を解決するための手段】
【０００６】
本開示の媒体処理装置は、搬送される媒体を処理する媒体処理装置であって、前記媒体を搬送するための回転体と、前記回転体を配置するための貫通孔を有し、前記回転体により搬送される前記媒体をガイドするガイド部と、前記ガイド部の内面側に配置され、前記回転体と接触しないように前記回転体と所定の間隔を隔てて配置されている遮音部材と、を備える。
【発明の効果】
【０００７】
本開示によれば、ガイド部の貫通孔から漏れる音を抑制できる。
【図面の簡単な説明】
【０００８】
【図１】第１の実施の形態に係る媒体処理部の外観の外面側から見た斜視図である。
【図２】媒体処理部の外観を内面側（図１の矢印Ａ１方向）から見た斜視図である。
【図３】図１および図２のＡ−Ａ矢視断面図である。
【図４】媒体処理部の外観を示した平面図である。
【図５】媒体処理部の外観を示した底面図である。
【図６】媒体処理部の外観の概略を示した平面図である。
【図７】遮音部材の外観を媒体処理部の外面側から見た斜視図である。
【図８】遮音部材の外観を媒体処理部の内面側から見た斜視図である。
【図９】遮音部材の外観を媒体処理部の内面側から見た別の斜視図である。
【図１０】媒体処理部の他の例を示した側断面図である。
【図１１】媒体処理部の別の例を示した側面図である。
【図１２】第２の実施の形態に係る紙幣処理部の外観を示した斜視図である。
【図１３】紙幣処理部の内部構造を示した図である。
【図１４】第３の実施の形態に係る紙幣整理機を示した外観図である。
【図１５】紙幣整理機の内部構造を示した図である。
【発明を実施するための形態】
【０００９】
以下、本開示の実施の形態を、図面を参照して説明する。
【００１０】
（第１の実施の形態）
図１は、第１の実施の形態に係る媒体処理部１の外観を外面側から見た斜視図である。図２は、媒体処理部１の外観を内面側（図１の矢印Ａ１方向）から見た斜視図である。
【００１１】
図１および図２に示す媒体処理部１は、例えば、ＴＣＲ（Teller Cash Recycler）または紙幣整理機などの貨幣処理装置の出金部に適用される。
【００１２】
なお、媒体処理部１の外面側とは、貨幣処理装置に設けられた媒体処理部１により媒体搬送が行われる状態（通常の使用状態）において、媒体処理部１の外部空間側（周辺空間側）の面である。媒体処理部１の内面側とは、外面側の反対側である。すなわち、媒体処理部１の内面側とは、貨幣処理装置に設けられた媒体処理部１により媒体搬送が行われる状態において、媒体処理部１の内部側の面である。
【００１３】
また説明の便宜上、適宜、図１〜図９に示した直交座標系に示した方向を用いて説明を行う。Ｘ１及びＸ２は、それぞれ、後述する回転体１１ａａ〜１１ａｄ，１１ｂａ，１１ｂｂの回転軸１４が延びる方向における、一端方向及び他端方向を示す。Ｙ１は、媒体処理部１において、回転体１１ａａ〜１１ａｄが設けられた側であり、Ｙ２は、ガイド部１２の支持部１２ｃが設けられた側である。Ｚ１は鉛直方向と反対方向を示し、Ｚ２は鉛直方向を示す。
【００１４】
なお、媒体は、例えば、紙幣、商品券、有価証券、または投票用紙等を含む概念である。
【００１５】
媒体処理部１は、回転体１１ａａ〜１１ａｄ，１１ｂａ，１１ｂｂと、ガイド部１２と、を有している。また、媒体処理部１は、図２の点線枠Ｂ１に示すように、内面側に遮音部材１３を有している。回転体１１ａａ〜１１ａｄ,１１ｂａ,１１ｂｂは、媒体処理装置１の外側から視認できるように配置されている。
【００１６】
回転体１１ａａは羽根車である。回転体１１ａｂ，１１ａｃ，１１ａｄは、回転体１１ａａと同様の構成を有する羽根車である。
【００１７】
回転体１１ｂａはローラであり、回転体１１ｂｂは回転体１１ｂａと同様の構成を有するローラである。回転体１１ｂａは、回転体１１ａａと回転体１１ａｂとの間に配置されている。回転体１１ｂｂは、回転体１１ａｃと回転体１１ａｄとの間に配置されている。
【００１８】
図１では、４つの回転体１１ａａ〜１１ａｄと、２つの回転体１１ｂａ，１１ｂｂとを示しているが、これに限られない。回転体１１ａａ〜１１ａｄは、３個以下であってもよく、５個以上であってもよい。また、回転体１１ｂａ，１１ｂｂは、１個であってもよく、３個以上であってもよい。また、媒体処理部１は、回転体１１ｂａ，１１ｂｂを備えなくてもよい。
【００１９】
回転体１１ａａ〜１１ａｄ，１１ｂａ，１１ｂｂは、１つの回転軸１４に固定されている。すなわち、回転体１１ａａ〜１１ａｄ，１１ｂａ，１１ｂｂは、共通の回転軸１４を中心に回転する。回転軸１４は、例えば、モータ等の駆動部（図示せず）によって、矢印Ａ４の方向に回転することにより、回転体１１ａａ〜１１ａｄ，１１ｂａ，１１ｂｂが回転する。
【００２０】
ガイド部１２は、媒体を繰出す排出口１５を有している。回転体１１ａａ〜１１ａｄ，１１ｂａ，１１ｂｂは、排出口１５の下流に配置されている。なお、下流とは、媒体が搬送される方向において下流という意味である。
【００２１】
言い換えると、排出口１５には搬送路２２（図３参照）が接続されている。搬送路２２により搬送されてきた媒体は、排出口１５を介し、羽根車である回転体１１ａａ〜１１ａｄに受け渡される。
【００２２】
媒体は、例えば、媒体の長辺を先頭にして、排出口１５から繰出される。媒体は、回転体１１ａａ〜１１ａｄの複数の羽根のうちの隣り合う２つの羽根の間に挟まれるように、排出口１５から、回転体１１ａａ〜１１ａｄに向けて排出される。回転体１１ａａ〜１１ａｄの２つの羽根に挟まれた媒体は、回転体１１ａａ〜１１ａｄ，１１ｂａ，１１ｂｂの回転により、ガイド部１２の底部１２ｂに送り込まれる。
【００２３】
なお、回転軸１４は、水平方向に平行に延びている。当該水平方向は排出口１５から繰出される媒体の長手方向と一致する。以下では、回転軸１４の延びている方向を、軸方向と呼ぶことがある。回転軸１４の軸方向は、媒体の搬送方向に対し、垂直である。
【００２４】
次にガイド部１２の詳細構成について説明する。ガイド部１２は底部１２ｂを有する。底部１２ｂにおける媒体接触面は、水平方向に対して第１角度傾斜するように構成されている。底部１２ｂに送り込まれた媒体は、長辺の先頭がガイド部１２の底部１２ｂに接触する。長辺の先頭が底部１２ｂに接触した媒体は、回転体１１ａａ〜１１ａｄが回転することにより、隣り合う２つの羽根の間から抜き取られる。隣り合う２つの羽根の間から抜き取られた媒体は、直立した状態でガイド部１２の支持部１２ｃの方向に移動し、底部１２ｂの上で直立した状態で集積される（例えば、図３の媒体Ｐ１を参照）。なお、隣り合う２つの羽根の間から抜き取られた媒体は、倒れた状態で底部１２ｂの上に集積されてもよい。
【００２５】
ガイド部１２は湾曲部１２ａを有する。湾曲部１２ａは、回転軸１４が延びる方向から見て、所定の曲率を有するように形成されている。湾曲部１２ａは、貫通孔を有している。回転体１１ａａ〜１１ａｄ，１１ｂａ，１１ｂｂの一部は、ガイド部１２の湾曲部１２ａの貫通孔から、媒体処理部１の外面側に露出している。排出口１５から繰出される媒体は、ガイド部１２の貫通孔から一部露出した回転体１１ａａ〜１１ａｄ，１１ｂａ，１１ｂｂによって、ガイド部１２の底部１２ｂに送り込まれる。
【００２６】
ガイド部１２の湾曲部１２ａは、排出口１５の下流に位置し、回転体１１ｂａ，１１ｂｂの曲面に沿った形状を有している。言い換えれば、ガイド部１２の湾曲部１２ａは、円柱の一部側面に沿った形状を有している。
【００２７】
言い換えると、回転軸１４が延びる方向に、湾曲部１２ａ、回転体１１ａａ〜１１ａｄ、および回転体１１ｂａ，１１ｂｂは、並んで配置されている。また、一対の湾曲部１２ａの間に、回転体１１ａａ〜１１ａｄ、および回転体１１ｂａ，１１ｂｂが配置されている。
【００２８】
ガイド部１２の底部１２ｂは、孔１２ｂａ，１２ｂｂを有している。孔１２ｂａ，１２ｂｂに対応する位置には、後述するセンサが配置される。センサは媒体処理部１の内面側に配置される。センサは、孔１２ｂａ，１２ｂｂを介して、超音波や、光（電磁波）などを送信及び／又は受信する。これにより、底部１２ｂ上に集積される媒体を検知することができる。
【００２９】
ガイド部１２の底部１２ｂの下流側は、上流側より低くなっている。回転体１１ａａ〜１１ａｄの隣り合う２つの羽根の間から抜き取られた媒体は、直立した状態で底部１２ｂの上流側から、下流側に向かって移動する。なお、上流とは、媒体が搬送される方向において上流という意味である。
【００３０】
ガイド部１２の支持部１２ｃは、底部１２ｂの下流に位置し、底部１２ｂから上方に向かって延びている。支持部１２ｃにおける媒体接触面は、水平方向に対して、第２角度傾斜するように構成されている。第２角度は、前述の第１角度（底部１２ｂにおける媒体接触面）と異なる。これにより、回転体１１ａａ〜１１ａｄ，１１ｂａ，１１ｂｂから送り出される媒体を、直立した状態で支持する（例えば、図３の媒体Ｐ１を参照）。
【００３１】
ガイド部１２の側部１２ｄは、底部１２ｂの上に集積される媒体の長手方向おける底部１２ｂの両端から、上方に向かって延びている。
【００３２】
このように、ガイド部１２における、底部１２ｂ、支持部１２ｃ、及び、側部１２ｄにより形成された領域に紙幣を集積することができる。
【００３３】
排出口１５から繰出される媒体は、ガイド部１２の湾曲部１２ａにガイドされながら、ガイド部１２の底部１２ｂに送り込まれる。また、ガイド部１２の湾曲部１２ａは、回転体１１ａａ〜１１ａｄ，１１ｂａ，１１ｂｂが配置される位置または位置周辺において、媒体をガイドする。
【００３４】
また、回転体１１ａａ〜１１ａｄの２つの羽根から抜き出された媒体は、ガイド部１２の底部１２ｂにガイドされながら、支持部１２ｃへと移動される。また、ガイド部１２の底部１２ｂは、回転体１１ａａ〜１１ａｄ，１１ｂａ，１１ｂｂから繰出された媒体を集積する。
【００３５】
遮音部材１３は、図２に示すように、媒体処理部１の内面側に配置される。遮音部材１３は、媒体処理部１の内面側から発せられる音が、ガイド部１２の底部１２ｂの孔１２ｂａ，１２ｂｂ、および、後述するガイド部１２の湾曲部１２ａに設けられた貫通孔から、媒体処理部１の外面側に漏れるのを防止する。遮音部材１３の詳細説明は後述する。
【００３６】
図３は、図１および図２のＡ−Ａ矢視断面図である。また、図３には、ガイド部１２の底部１２ｂ上に、直立状態で集積された媒体Ｐ１が示してある。
【００３７】
ガイド部１２は、媒体を搬送する搬送路２２を有している。搬送路２２の終端には、排出口１５が形成されている。
【００３８】
ガイド部１２には搬送路２２が設けられている。搬送路２２は、装置内部と排出口を接続している。例えば、図３に示す矢印Ａ１４から排出口１５までの部分を、ガイド部１２が有する搬送路２２としてもよい。この場合、図３に示す矢印Ａ１４から下流をガイド部１２としてもよい。
【００３９】
また、ガイド部１２が有する搬送路２２は、例えば、排出口１５から、媒体処理部１が適用される貨幣処理装置のループ搬送部との接続部分までとしてもよい。この場合、媒体処理部１は、ループ搬送部から分岐した分岐路を有する分岐ユニットとしてもよい。ガイド部１２は、分岐ユニットの回転体１１ａａ〜１１ａｄ，１１ｂａ，１１ｂｂと、遮音部材１３とを除いた、媒体をガイドする部分としてもよい。
【００４０】
搬送路２２を搬送する媒体は、回転体１１ａａ（１１ａｂ〜１１ａｄ）における隣り合う羽根の間に挿入されるように、排出口１５から繰出される。排出口１５から繰出された媒体は、回転体１１ａａ（１１ａｂ〜１１ａｄ）によってガイド部１２の底部１２ｂへと送り出される。
【００４１】
次に遮音部材１３の詳細構成について説明する。
【００４２】
遮音部材１３は、ガイド部１２の内面側に配置されている。遮音部材１３は、図３の矢印Ａ１１の方向から見て、概略的には、遮音部材１３、ガイド部１２の順に並んで配置されている。
【００４３】
遮音部材１３は、媒体処理部１の内面側で発生する音が媒体処理部１の外面側に漏れないようにする。媒体処理部１の内面側で発生する音は、媒体処理部１を適用した貨幣処理装置の内部の音源Ａ１２から発生する音である。このような音は、たとえば、搬送路２２、及び、装置に設けられた図示しないモータなどの駆動部、等から発生する音である。なお、音源Ａ１２は、説明のため模式的に示した図にすぎず、音源Ａ１２の位置、大きさ（領域）は例示である。遮音部材１３は、孔１２ｂａ（１２ｂｂ）と、音源Ａ１２との間に配置される。
【００４４】
遮音部材１３は、回転体１１ａａ〜１１ａｄ，１１ｂａ，１１ｂｂと接触しないように、配置されている。遮音部材１３は、回転体１１ａａ〜１１ａｄ、１１ｂａ，１１ｂｂと所定の間隔を隔てて配置されている。具体的には、遮音部材１３は、回転体１１ａａの羽根先と接触しないように配置される。
【００４５】
遮音部材１３は、たとえば、樹脂により形成されている。遮音部材１３は、遮音に適した材料によって形成されてもよい。この場合、例えば、樹脂またはゴムなど、高分子化合物によって形成することができる。遮音部材１３は、媒体処理部１に対して着脱可能であってもよい。
【００４６】
センサ３１は、遮音部材１３の内面側に配置され、遮音部材１３に固定される。センサ３１は、ガイド部１２に集積される媒体を検知するセンサである。センサ３１は、ガイド部１２の底部１２ｂに設けられた孔１２ｂａを通して、ガイド部１２に集積される媒体を検知する。
【００４７】
遮音部材１３の内面側には、ガイド部１２に集積される媒体を検知する、センサ３１とは別のセンサがもう１個配置される。別のセンサは、センサ３１と同種のセンサであってもよい。別のセンサは、ガイド部１２の底部１２ｂに設けられたもう１つの孔１２ｂｂ（図１を参照）を通して、ガイド部１２に集積される媒体を検知する。
【００４８】
センサ３１および別のセンサの数は、１個であってもよく、また、３個以上であってもよい。ガイド部１２の底部１２ｂの孔１２ｂａ，１２ｂｂは、検知部の数に合わせてガイド部１２の底部１２ｂに形成される。
【００４９】
図４は、媒体処理部１の外観を示した平面図である。図５は、媒体処理部１の外観を示した底面図である。
【００５０】
図４に示す点線Ｂ２は、媒体処理部１の内面側に配置される遮音部材１３の外縁を示している。遮音部材１３は、媒体処理部１の平面視（または底面視）において、遮音部材１３の外縁内に、ガイド部１２の底部１２ｂに形成された孔１２ｂａ，１２ｂｂと、回転体１１ａａ〜１１ａｄ，１１ｂａ，１１ｂｂとが収まるように、媒体処理部１の内面側に配置される。別言すれば、遮音部材１３は、平面視において、孔１２ｂａ，１２ｂｂと、回転体１１ａａ〜１１ａｄ，１１ｂａ，１１ｂｂと、重なるように、媒体処理部１の内面側に配置される。
【００５１】
遮音部材１３の回転軸１４の軸方向に延びる辺は、６つの回転体１１ａａ〜１１ａｄ，１１ｂａ，１１ｂｂのうちの両端にある回転体１１ａａ，１１ａｄの間隔より大きく、かつ、ガイド部１２の底部１２ｂに形成された孔１２ｂａ，１２ｂｂの間隔より大きい。また、遮音部材１３の回転軸１４の軸方向に対し垂直方向に延びる辺は、回転体１１ａａ〜１１ａｄ，１１ｂａ，１１ｂｂの直径より大きい。
【００５２】
ガイド部１２の湾曲部１２ａは、回転体１１ａａ〜１１ａｄ，１１ｂａ，１１ｂｂの一部を、媒体処理部１の外面側に露出するための貫通孔を有している。
【００５３】
図６は、媒体処理部１の外観の概略を示した平面図である。図６では、図４に示した媒体処理部１の形状を簡略化して図示している。
【００５４】
図６に示す孔１２ａａ，１２ａｂは、ガイド部１２の湾曲部１２ａに形成された貫通孔である。回転体１１ａａ〜１１ａｄ，１１ｂａ，１１ｂｂの一部は、孔１２ａａ，１２ａｂから、媒体処理部１の外面側に露出される。遮音部材１３は、ガイド部１２に形成された孔１２ａａ，１２ａｂ，１２ｂａ，１２ｂｂを介して、媒体処理部１の外面側と内面側とが通じないように、媒体処理部１の内面側に配置される。また、遮音部材１３は、ガイド部１２に対して回転軸１４と同じ側に配置され、孔１２ａａ，１２ａｂ，１２ｂａ，１２ｂｂと音源（図３の音源Ａ１２を参照）との間に配置される。
【００５５】
遮音部材１３は、媒体処理部１の内面側において、孔１２ａａ，１２ａｂ，１２ｂａ，１２ｂｂを覆うように配置される。例えば、遮音部材１３の一辺は、図３に示したように、孔１２ｂａ，１２ｂｂより下流側の底部１２ｂの内面側に接続されてもよい。遮音部材１３の他辺は、孔１２ａａ，１２ａｂより上流側にある媒体処理部１の筐体に接続されてもよい。また、遮音部材１３の他辺は、搬送路２２に接続されてもよい。
【００５６】
遮音部材１３の面積は、平面視において、孔１２ａａ，１２ａｂの面積より大きい。また、遮音部材１３の面積は、平面視において、孔１２ｂａ，１２ｂｂの面積より大きい。別言すれば、遮音部材１３は、回転体１１ａａ〜１１ａｄ，１１ｂａ，１１ｂｂを媒体処理部１の外側から見た状態において、ガイド部１２の孔１２ａａ，１２ａｂ，１２ｂａ，１２ｂｂの面積よりも大きい。なお、「媒体処理部１の外側から見た状態」とは、「媒体処理部１の外面側および内面側の一方または両方から見た状態」である。
【００５７】
遮音部材１３は、平面視において、孔１２ａａ，１２ａｂ，１２ｂａ，１２ｂｂと重なるように、媒体処理部１の内面側に配置される。別言すれば、遮音部材１３は、回転体１１ａａ〜１１ａｄ，１１ｂａ，１１ｂｂを媒体処理部１の外側から見た状態において、ガイド部１２の孔１２ａａ，１２ａｂ，１２ｂａ，１２ｂｂと重なるように配置される。
【００５８】
遮音部材１３は、孔１２ａａ，１２ａｂ，１２ｂａ，１２ｂｂを遮蔽するように、媒体処理部１の内面側に配置される。遮音部材１３は、媒体処理部１の内面側において、孔１２ａａ，１２ａｂ，１２ｂａ，１２ｂｂを密閉することにより、媒体処理部１の内面側において発生する音が、媒体処理部１の外面側に漏れないようにする。
【００５９】
図７〜図９は、遮音部材１３の外観を示した斜視図である。遮音部材１３は、回転軸１４の軸方向に延びる第１部分４１と、回転軸１４の軸方向に対して垂直方向に延びる第２部分４２ａ，４２ｂとを有している。遮音部材１３の第１部分４１の外縁は、略四角形状を有している。
【００６０】
第２部分４２ａ，４２ｂは、第１部分４１の回転軸１４の軸方向の両端に形成されている。第２部分４２ａ，４２ｂには、回転軸１４を支持する切欠４３ａ，４３ｂが形成されている。
【００６１】
遮音部材１３の第１部分４１の一部は、図７の点線Ｂ３に示すように、窪んだ形状を有している。遮音部材１３は、ガイド部１２の内面側に取付けられたとき、第１部分４１の窪んだ部分が回転体１１ａａ〜１１ａｄ，１１ｂａ，１１ｂｂに位置するように配置される。すなわち、遮音部材１３は、回転体１１ａａ〜１１ａｄ，１１ｂａ，１１ｂｂを覆うように形成される。
【００６２】
第１部分４１には、孔４１ａ，４１ｂが形成される。孔４１ａには、図３で説明したセンサ３１が固定される。孔４１ｂには、もう１つの別のセンサが固定される。センサ３１および別のセンサは、媒体処理部１の内面側で発生する音が孔４１ａ，４１ｂから漏れないように、孔４１ａ，４１ｂを密封するよう固定される。センサ３１および別のセンサは、遮音部材１３がガイド部１２に取付けられた状態で取り外せるように、例えば、遮音部材１３の内面側に固定されてもよい（例えば、図３のセンサ３１を参照）。
【００６３】
遮音部材１３の第１部分４１および第２部分４２ａ，４２ｂは、一体成形されてもよい。また、遮音部材１３は、別体として形成された第１部分４１と、第２部分４２ａ，４２ｂとを接続して成形されてもよい。
【００６４】
遮音部材１３の第２部分４２ａ，４２ｂは、切欠４３ａ，４３ｂを有するとしたが、これに限られない。回転軸１４を支持するための貫通孔が形成されるように、遮音部材１３の第２部分４２ａ，４２ｂを構成してもよい。
【００６５】
以上説明したように、媒体を搬送するための回転体１１ａａ〜１１ａｄ，１１ｂａ，１１ｂｂと、回転体１１ａａ〜１１ａｄ，１１ｂａ，１１ｂｂを配置するための孔１２ａａ，１２ａｂを有し、回転体１１ａａ〜１１ａｄ，１１ｂａ，１１ｂｂにより搬送される媒体をガイドするガイド部１２と、ガイド部１２の内面側に配置され、回転体１１ａａ〜１１ａｄ，１１ｂａ，１１ｂｂと接触しないように回転体１１ａａ〜１１ａｄ，１１ｂａ，１１ｂｂと所定の間隔を隔てて配置されている遮音部材１３と、を備える。
【００６６】
本実施形態によれば、媒体処理部１に設けた遮音部材１３によって、媒体処理部１が取り付けられた装置内部において発生した音が、ガイド部１２の回転体１１ａａ〜１１ａｄ，１１ｂａ，１１ｂｂを配置するための孔１２ａａ，１２ａｂから装置外部に漏れるのを抑制することができる。
【００６７】
（変形例１）
上記では、媒体処理部１は、貨幣処理装置の出金部に適用されとしたが、これに限られない。媒体処理部１は、例えば、貨幣処理装置の入金部または取込部に適用さてもよい。
【００６８】
図１０は、媒体処理部１の他の例を示した側断面図である。図１０に示す媒体処理部１は、例えば、貨幣処理装置の入金部または取込部に適用される。図１０に示すように、媒体処理部１は、回転体５１ａ〜５１ｃと、ガイド部５２と、遮音部材５３と、を有している。
【００６９】
回転体５１ａは、例えば、キッカローラである。回転体５１ｂは、例えば、フィードローラである。回転体５１ｃは、例えば、ゲートローラである。
【００７０】
ガイド部５２は、媒体Ｐ２を載置する載置部５２ａを有している。媒体Ｐ２は、例えば、紙幣であってもよい。ガイド部５２の載置部５２ａには、回転体５１ａの一部が媒体処理部１の外面側に露出するための孔５２ａａが形成されている。
【００７１】
ガイド部５２は、載置部５２ａに載置された媒体Ｐ２を、媒体処理部１の内部に搬送するための搬送路６２を有している。搬送路６２には、回転体５１ｂの一部が媒体処理部１の外面側に露出するための孔６１ａａが形成されている。
【００７２】
回転体５１ａの一部は、ガイド部５２の載置部５２ａに形成された孔５２ａａから媒体処理部１の外面側に露出し、載置部５２ａに載置された最下部の媒体Ｐ２に接触する。回転体５１ａは、図中時計回りに回転し、載置部５２ａに載置された最下部の媒体Ｐ２を搬送路６２に蹴り出す。
【００７３】
回転体５１ｂの一部は、ガイド部５２の搬送路６２に形成された孔６１ａａから媒体処理部１の外面側に露出し、回転体５１ａによって蹴り出された媒体Ｐ２に接触する。回転体５１ｂは、図中時計回りに回転し、回転体５１ａによって蹴り出された媒体Ｐ２を媒体処理部１の内部へ送り出す。
【００７４】
回転体５１ｃの一部は、ガイド部５２の搬送路６２に形成された孔６１ｂａから搬送路６２に露出し、回転体５１ａによって蹴り出された媒体Ｐ２に接触する。回転体５１ｃは、図中反時計回りに回転可能となっており、回転体５１ａによって蹴り出された媒体Ｐ２が１枚ずつ搬送路６２に送り出されるようにする。
【００７５】
遮音部材５３は、ガイド部５２の内面側に配置され、回転体５１ａ，５１ｂと接触しないように回転体５１ａ，５１ｂと所定の間隔を隔てて配置されている。遮音部材５３は、媒体処理部１の内面側から外面側に向かう音を遮音する。すなわち、遮音部材５３は、孔５２ａａ，６１ａａから、媒体処理部１の外面側に漏れる音を遮音する。
【００７６】
このように、媒体を搬送するための回転体５１ａ，５１ｂと、回転体５１ａ，５１ｂを配置するための孔５２ａａ，６１ａａを有し、回転体５１ａ，５１ｂにより搬送される媒体をガイドするガイド部５２と、ガイド部５２の内面側に配置され、回転体５１ａ，５１ｂと接触しないように回転体５１ａ，５１ｂと所定の間隔を隔てて配置されている遮音部材５３と、を備える。これにより、媒体処理部１は、ガイド部５２の回転体５１ａ，５１ｂを配置するための孔５２ａａ，６１ａａから漏れる音を抑制することができる。
【００７７】
なお、ガイド部５２が有する搬送路６２は、例えば、媒体を媒体処理部１内に繰出す繰出口６３から、真っ直ぐ延びる部分までとしてもよい。例えば、繰出口６３から図１０に示す矢印Ａ４１までの部分を、ガイド部５２が有する搬送路６２としてもよい。この場合、図１０に示す矢印Ａ４１から上流をガイド部１２としてもよい。
【００７８】
また、ガイド部５２が有する搬送路６２は、例えば、媒体を媒体処理部１内に繰出す繰出口６３から、媒体処理部１が適用される貨幣処理装置のループ搬送部との接続部分までとしてもよい。この場合、媒体処理部１は、ループ搬送部から分岐した分岐路を有する分岐ユニットとしてもよい。ガイド部５２は、分岐ユニットの回転体５１ａ〜５１ｃと、遮音部材５３とを除いた、媒体をガイドする部分としてもよい。
【００７９】
また、媒体処理部１は、回転体５１ｃを覆う遮音部材を有してもよい。例えば、回転体５１ｃは、ガイド部５２と遮音部材とで囲まれてもよい。これにより、媒体処理部１は、孔６１ｂａから漏れる音を抑制できる。
【００８０】
（変形例２）
図１１は、媒体処理部１の別の例を示した側面図である。媒体処理部１は、回転体７１と、搬送部７２と、集積部７３と、遮音部材７４と、を有している。
【００８１】
回転体７１は、搬送部７２の終端７２ａと、集積部７３との間に配置される。回転体７１は、搬送部７２で搬送された媒体を集積部７３に繰出し、集積してもよい。また、回転体７１は、集積部７３に集積された媒体を搬送部７２に繰出してもよい。
【００８２】
遮音部材７４は、一端が搬送部７２に接続され、他端が集積部７３に接続される。遮音部材７４は、回転体７１に対し、媒体処理部１の内部側に配置される。遮音部材７４は、回転体７１と搬送部７２との隙間および回転体７１と集積部７３との隙間において、媒体処理部１の内部から外部に漏れる音を抑制する。
【００８３】
このように、媒体処理部１は、搬送部７２の終端７２ａと、媒体を集積する集積部７３との間に配置された回転体７１と、回転体７１に対し、媒体処理部１の内部側において、搬送部７２と集積部７３とに接続された遮音部材７４とを備えてもよい。これにより、媒体処理部１は、装置内部から外部に漏れる音を抑制できる。
【００８４】
（変形例３）
ガイド部１２は、媒体処理部１に対して揺動可能であってもよい。遮音部材１３は、ガイド部１２が媒体処理部１に対して揺動されたとき、媒体処理部１の外部からアクセス可能となってもよい。
【００８５】
例えば、図３に示すガイド部１２は、図３の矢印Ａ１３の方向に揺動されてもよい。ガイド部１２が、図３の矢印Ａ１３の方向に揺動されたとき、回転体１１ａａ〜１１ａｄ，１１ｂａ，１１ｂｂおよび遮音部材１３もガイド部１２に連れて揺動され、例えば、媒体処理部１の保守者は、遮音部材１３にアクセス可能となる。
【００８６】
遮音部材１３の外側には、センサ３１および別のセンサが配置されている。そのため、媒体処理部１の保守者は、ガイド部１２を図３の矢印Ａ１３の方向に揺動することにより、センサ３１および別のセンサを容易に交換することができる。
【００８７】
（変形例４）
上記では、ガイド部１２は、湾曲部１２ａと、底部１２ｂと、支持部１２ｃと、側部１２ｄと、排出口１５と、搬送路２２と、を有するとしたがこれに限られない。ガイド部１２は、回転体を配置するための貫通孔を有し、回転体により搬送される媒体をガイドする部位であってよい。
【００８８】
例えば、図１に示したガイド部１２は、回転体１１ａａ〜１１ａｄ，１１ｂａ，１１ｂｂを配置するための孔１２ａａ，１２ａｂ（図６を参照）を有し、媒体を底部１２ｂに案内する湾曲部１２ａであってもよい。また、図１０に示したガイド部５２は、回転体５１ａを配置するための孔５２ａａを有し、媒体を搬送路６２に案内する載置部５２ａであってもよい。また、図１０に示したガイド部５２は、回転体５１ｂを配置するための孔６１ａａを有する搬送路６２であってもよい。
【００８９】
（第２の実施の形態）
第２の実施の形態では、第１の実施の形態で説明した媒体処理部１が紙幣処理装置に適用される例について説明する。
【００９０】
図１２は、第２の実施の形態に係る紙幣処理装置１００の外観を示した斜視図である。図１３は、紙幣処理装置１００の内部構造を示した図である。第２実施形態では、第１実施形態で説明した遮音部材が、出金部１１３及び入金部１１１それぞれに適用された紙幣処理装置１００について説明する。なお、図１３では、媒体処理部の詳細を簡略化して示している。
【００９１】
紙幣処理装置１００は、バラ紙幣の処理を行う。紙幣処理装置１００は、上部の処理部１０１と、下部の金庫部１０２とを有している。処理部１０１を構成する上部筐体１０３の中には、入金部１１１、出金部１１３、一時保留部１１５、識別部１１６、および搬送部１１９の一部が配設されている。
【００９２】
金庫部１０２は、金庫筐体１０４によって構成されている。金庫筐体１０４の中には、収納部１１７と、搬送部１１９の一部とが配設されている。金庫筐体１０４は、収納部１１７を、所定以上の防護レベルで防護するように構成されている。金庫筐体１０４の防護レベルは、上部筐体１０３の防護レベルよりも高くなっている。
【００９３】
入金部１１１は、例えば、入金処理を行う際に、紙幣が投入される部分である。入金部１１１は、入金口１１２を有している。入金口１１２は、上部筐体１０３の上面に開口している。紙幣は、入金口１１２を通じて、入金部１１１に投入される。入金部１１１は、投入された紙幣を、一枚ずつ装置の中に取り込む機構を有している。
【００９４】
出金部１１３は、例えば、出金処理の際に、紙幣が搬送される部分である。出金部１１３は、様々な用途に利用することが可能である。出金部１１３は、複数枚の紙幣を集積するよう構成されている。出金部１１３は、出金口１１４を有している。出金口１１４は、上部筐体１０３の上面に開口している。出金部１１３に集積されている紙幣は、出金口１１４を通じて取り出すことが可能である。なお、出金口１１４に、開閉するシャッターを設けてもよい。
【００９５】
識別部１１６は、後述するループ搬送路１２０に配設されている。識別部１１６は、ループ搬送路１２０に沿って搬送される紙幣の一枚一枚について、少なくとも、真偽、金種および正損を識別する。
【００９６】
一時保留部１１５は、紙幣を一時保留部１１５の中に取り込んで収納すること、および、一時保留部１１５の中に収納している紙幣を繰り出すこと、が可能に構成されている。一時保留部１１５は、いわゆるテープ式の収納機構を有している。一時保留部１１５は、例えば、入金処理を行う際に、入金対象の紙幣を一時的に収納する。入金処理が確定すると、一時保留部１１５は、収納している紙幣を繰り出す。繰り出された紙幣は、後述する収納部１１７に収納される。一時保留部１１５はまた、その他の用途に利用することも可能である。
【００９７】
一時保留部１１５は、上部筐体１０３の中の前側の位置に配設されている。一時保留部１１５は、上部筐体１０３の中に、着脱可能に配置されている。一時保留部１１５が無くても、紙幣処理装置１００は動作することが可能に構成されている。
【００９８】
収納部１１７は、複数の紙幣収納装置１１８を有している。図例の紙幣処理装置１００は、八個の紙幣収納装置１１８を有している。紙幣収納装置１１８は、金庫筐体１０４の中に、上下方向および水平方向に並んで配置されている。尚、紙幣収納装置１１８の数、および、紙幣収納装置１１８の配置は、どのようなものであってもよい。
【００９９】
各紙幣収納装置１１８は、紙幣を紙幣収納装置１１８の中に取り込んで収納すること、および、紙幣収納装置１１８の中に収納している紙幣を繰り出すこと、が可能に構成されている。
【０１００】
搬送部１１９は、搬送路を有している。搬送部１１９は、例えば、紙幣の長辺を先頭にして、紙幣と紙幣との間に間隔を空けて、紙幣を一枚ずつ、搬送路に沿って搬送するよう構成されている。搬送路は、図示は省略するが、多数のローラ、複数のベルト、これらを駆動するモータ、および複数のガイドの組み合わせによって構成されている。
【０１０１】
搬送部１１９は、上部筐体１０３の中に設けられたループ搬送路１２０を有している。ループ搬送路１２０は、前述したように識別部１１６を通る。搬送部１１９は、紙幣を、ループ搬送路１２０に沿って、図１３における時計回り方向および反時計回り方向に搬送する。
【０１０２】
入金部１１１は、接続路１２１を介して、ループ搬送路１２０に接続されている。出金部１１３は、接続路１２２を介して、ループ搬送路１２０に接続されている。
【０１０３】
複数の紙幣収納装置１１８はそれぞれ、接続路１２３を介してループ搬送路１２０に接続されている。接続路１２３は、途中で分岐して、複数の紙幣収納装置１１８のそれぞれに接続されている。一時保留部１１５は、接続路１２４を介してループ搬送路１２０に接続されている。
【０１０４】
なお、図示は省略するが、ループ搬送路１２０と、接続路１２１，１２２，１２３，１２４との接続箇所には、紙幣の搬送先を切り替える分岐機構が設けられている。また、接続路１２３における各分岐箇所にも、分岐機構が設けられている。
【０１０５】
ループ搬送路１２０、および、接続路１２１，１２２，１２３，１２４における各所には、紙幣の通過を検知する通過センサが配設されている。搬送部１１９は、図示を省略するコントローラーからの指令を受けて、通過センサの検知信号に基づいて、搬送部１１９の各分岐機構を制御することにより、紙幣を、所定の搬送先に搬送する。
【０１０６】
第２実施形態では、遮音部材１３５が出金部１１３（図１３参照）に適用されている。羽根車１３１は、本発明の回転体の例示である。底部１３２及び支持部１３３は、本発明のガイド部の例示である。
【０１０７】
同様に、第２実施形態では、遮音部材１４４が入金部１１１（図１３参照）に適用されている。キッカローラ１４１及びフィードローラ１４２は、本発明の回転体の例示である。載置部１４３は、本発明のガイド部の例示である。
【０１０８】
なお、遮音部材は、出金部１１３または入金部１１１のいずれか一方にのみ設けられてもよい。
【０１０９】
以上説明したように、媒体処理部１は、紙幣処理装置１００等の貨幣処理装置に適用できる。これにより、貨幣処理装置は、騒音が抑制される。
【０１１０】
（第３の実施の形態）
第３の実施の形態では、第１の実施の形態で説明した媒体処理部１が紙幣整理機に適用される例について説明する。
【０１１１】
図１４は、第３の実施の形態に係る紙幣整理機２００を示した外観図である。図１５は、紙幣整理機２００の内部構造を示した図である。第３実施形態では、第１実施形態で説明した遮音部材が、取込部２０２、リジェクト部２０３、第１集積部２０４ａ〜２０４ｄ、及び第２集積部２０７ａ〜２０７ｄ、それぞれに適用された紙幣処理装置２００について説明する。なお、図１５では、媒体処理部の詳細を簡略化して示している。
【０１１２】
紙幣整理機２００は、基本モジュール２０１と、基本モジュール２０１に連結された拡張モジュール２０６と、を有する。基本モジュール２０１は、取込部２０２と、リジェクト部２０３と、第１集積部２０４ａ〜２０４ｄと、操作表示部２０５と、を有する。拡張モジュール２０６は、第２集積部２０７ａ〜２０７ｄを有する。
【０１１３】
操作表示部２０５は、基本モジュール２０１の前面で、第１集積部２０４ａ〜２０４ｄの上方に配置されている。操作表示部２０５は、第１集積部２０４ａ〜２０４ｄの水平方向略中央の位置に重なるように配置されている。具体的には、操作表示部２０５は、両外側の第１集積部２０４ａ，２０４ｄの間の水平方向中央を通る鉛直線を含む位置に配置されている。
【０１１４】
操作表示部２０５は、タッチパネル式の液晶表示装置であってもよい。操作表示部２０５は、画面上にボタンを表示し、表示したボタンによる各種情報の入力を受け付ける操作部として機能する。操作表示部２０５は、第１集積部２０４ａ〜２０４ｄおよび第２集積部２０７ａ〜２０７ｄのそれぞれに集積中の紙幣の種類、枚数等、各種情報を画面上に表示する表示部としても機能する。なお、操作表示部２０５は、タッチパネル式ではなく、物理的なボタンと、非タッチパネル式の液晶表示装置とを有してもよい。
【０１１５】
取込部２０２は、操作者が載置した複数紙幣を１枚ずつ装置内に取り込む機能を有する。リジェクト部２０３は、リジェクト紙幣を集積する機能を有する。リジェクト紙幣とは、識別部２１１で識別できない紙幣等を含む概念である。キッカローラ２５１、フィードローラ２５２、及びゲートローラ２５３によって、紙幣を取込部２０２から装置内部に取り込む。
【０１１６】
第１集積部２０４ａ〜２０４ｄは、左右方向、別言すれば、水平方向に並んで配置されている。第１集積部２０４ａ〜２０４ｄは、それぞれ、識別部２１１で識別できた正常紙幣を集積する機能を有する。底部２３２は、集積される紙幣の量に応じて上下方向に可動するステージである。
【０１１７】
第１集積部２０４ａ〜２０４ｄは、操作表示部２０５が配置された装置前面側に、集積空間に集積された紙幣を抜き取るための開口部を有する。操作者は、開口部を介して、第１集積部２０４ａ〜２０４ｄの集積空間に集積された紙幣を抜き取ることができる。操作者が、集積中の紙幣の有無を目視により確認しやすいように、開口部は、例えば、上端を頂点とする略五角形形状に形成されてもよい。開口部上端の頂点と該頂点から延びる２辺とで形成される開口部の上縁部は、前面側端部から背面側へかけての所定の範囲内で、前面側端部の高さが一番高く、背面側に行くに従って高さが低くなる傾斜面を有している。別言すれば、開口部の上縁部は、装置前面側の所定範囲内で背面側へ行くに従い下方に向けて傾斜した形状を有している。
【０１１８】
第１集積部２０４ａ〜２０４ｄおよびリジェクト部２０３の各々は、ＬＥＤ（Light Emitting Diode）等の表示灯（図示せず）を備えてもよい。紙幣整理機２００は、表示灯を点灯または点滅させて、操作者に、操作対象となる集積部の位置を報知する。例えば、第１集積部２０４ａ〜２０４ｄが集積紙幣で満杯になって紙幣の抜取作業が必要になると、紙幣整理機２００は、表示灯を点灯または点滅させて、抜き取り作業を報知する。
【０１１９】
第２集積部２０７ａ〜２０７ｄは、識別部２１１で識別できた正常紙幣を集積する機能を有する。第２集積部２０７ａ〜２０７ｄは、上下方向、別言すれば、鉛直方向に並んで配置されている。すなわち、第２集積部２０７ａ〜２０７ｄの配列方向は、第１集積部２０４ａ〜２０４ｄの配列方向と直交している。
【０１２０】
第２集積部２０７ａ〜２０７ｄは、装置前面側に開口部を有する。操作者は、開口部を介して、第２集積部２０７ａ〜２０７ｄに集積された紙幣を抜き取ることができる。
【０１２１】
第２集積部２０７ａ〜２０７ｄの各々は、ＬＥＤ等の表示灯（図示せず）を有してもよい。紙幣整理機２００は、表示灯を点灯または点滅させて、操作者に、操作対象となる第２集積部２０７ａ〜２０７ｄの位置を報知する。例えば、第２集積部２０７ａ〜２０７ｄが集積紙幣で満杯になって紙幣の抜取作業が必要になると、紙幣整理機２００は、表示灯を点灯または点滅させて、抜き取り作業を報知する。
【０１２２】
取込部２０２は、載置された紙幣を紙幣整理機２００の内部へ向けて繰出す。繰出された紙幣は、搬送ベルトを備える搬送部によって装置内を搬送される。搬送部の搬送路には、識別部２１１が設けられている。識別部２１１は、搬送部によって搬送される紙幣の種類を識別する。紙幣は、識別部２１１の識別結果に基づいて、リジェクト部２０３、第１集積部２０４ａ〜２０４ｄ、および第２集積部２０７ａ〜２０７ｄのいずれかに搬送される。
【０１２３】
同様に、第３実施形態では、遮音部材２５５が取込部２０２に適用されている。キッカローラ２５１及びフィードローラ２５２は本発明の回転体の例示である。載置部２５４は本発明のガイド部の例示である。
【０１２４】
第３実施形態では、遮音部材２２５がリジェクト部２０３（図１５参照）に適用されている。羽根車２２１は、本発明の回転体の例示である。底部２２２及び支持部２２３は、本発明のガイド部の例示である。
【０１２５】
同様に、第３実施形態では、遮音部材２３４が第１集積部２０４ａ、２０４ｂ、２０４ｃ、２０４ｄに適用されている。羽根車２３１は、本発明の回転体の例示である。羽根車設置部２３５は、本発明のガイド部の例示であり、羽根車２３１を配置するための貫通孔を有し、羽根車２３１により搬送される紙幣をガイドする。
【０１２６】
同様に、第３実施形態では、遮音部材２４４が第２集積部２０７ａ、２０７ｂ、２０７ｃ、２０７ｄに適用されている。羽根車２４１は、本発明の回転体の例示である。底部２４２及び支持部２４３は、本発明のガイド部の例示である。
【０１２７】
なお、遮音部材は、取込部２０２、リジェクト部２０３、第１集積部２０４ａ、２０４ｂ、２０４ｃ、２０４ｄ）、第２集積部２０７ａ、２０７ｂ、２０７ｃ、２０７ｄの少なくとも１つに設けられてもよい。
【０１２８】
以上説明したように、媒体処理部１は、紙幣整理機２００等の貨幣処理装置に適用できる。これにより、貨幣処理装置は、騒音が抑制される。
【符号の説明】
【０１２９】
１  媒体処理部
１１ａａ〜１１ａｄ，１１ｂａ，１１ｂｂ，５１ａ〜５１ｃ，７１  回転体
１２，５２  ガイド部
１２ａ  湾曲部
１２ａａ，１２ａｂ，１２ｂａ，１２ｂｂ，４１ａ，４１ｂ，５２ａａ，６１ａａ，６１ｂａ  孔
１２ｂ，１３２  底部
１２ｃ，１３３  支持部
１２ｄ  側部
１３，５３，７４，１３５，１４４  遮音部材
１４  回転軸
１５  排出口
２２，６２，７２  搬送路
３１  センサ
４１  第１部分
４２ａ，４２ｂ  第２部分
４３ａ，４３ｂ  切欠
５２ａ，１４３  載置部
６３  繰出口
７２ａ  終端
７３  集積部
【図１】
2020194437.tif 000003
【図２】
2020194437.tif 000004
【図３】
2020194437.tif 000005
【図４】
2020194437.tif 000006
【図５】
2020194437.tif 000007
【図６】
2020194437.tif 000008
【図７】
2020194437.tif 000009
【図８】
2020194437.tif 000010
【図９】
2020194437.tif 000011
【図１０】
2020194437.tif 000012
【図１１】
2020194437.tif 000013
【図１２】
2020194437.tif 000014
【図１３】
2020194437.tif 000015
【図１４】
2020194437.tif 000016
【図１５】
2020194437.tif 000017